(57)【特許請求の範囲】
【請求項１】
エアコンの室外機を載置する高置き台に取付けられる防雪フードであって、
フード本体（２Ａ、２Ｂ、２Ｃ、６Ａ、１０Ａ）と、
前記高置き台（９，１５）の４本の足（９ａ）のうち所定の足（９ａ）に接続され、前記フード本体（２Ａ、２Ｂ、２Ｃ、６Ａ）を支持する支持部材（４、８）と、
前記フード本体（２Ａ、２Ｂ、２Ｃ、６Ａ）が室外機の吸込み口（１Ａ）を覆うように、前記フード本体（２Ａ、２Ｂ、２Ｃ、６Ａ）を前記支持部材（４、８）に対して高さ調節可能に取付けるための高さ調節手段（４ａ、８ａ）と
を備え、
前記高さ調節手段（４ａ、８ａ）を調節することにより、前記フード本体（２Ａ、２Ｂ、２Ｃ、６Ａ）の下部には、前記吸込み口（１Ａ）に空気を吸込ませるための開口部（３）が形成される、防雪フード。
【請求項２】
前記フード本体（２Ａ、２Ｂ、２Ｃ、６Ａ）は、室外機に接近させて上方からの吹き込みを防止する庇部（５）を上端に有する、請求項１記載の防雪フード。
【請求項３】
前記庇部（５）は室外機の外側下向きに傾斜している、請求項２記載の防雪フード。
【請求項４】
前記フード本体（２Ｃ）の垂れ下がり部分は、室外機の外側下向きに傾斜している、請求項１〜３のいずれかに記載の防雪フード。
【請求項５】
前記室外機（１）に固定され、前記フード本体（１０Ａ）を室外機（１）の上方を覆うように支持する他の支持部材（１４）と、
前記フード本体（１０Ａ）と前記他の支持部材（１４）との取付位置を調節する位置調整手段（１２）と
を備えた、請求項１〜４のいずれかに記載の防雪フード。
【請求項６】
前記他の支持部材（１４）は、室外機（１）の端部を受入れる受入れ凹部（１４ａ）を含む、請求項５記載の防雪フード。
【請求項７】
前記高置き台（１５）は上下２段であり、前記フード本体（２）は下段側の室外機に対して取付けられている、請求項１〜６のいずれかに記載の防雪フード。
【発明の詳細な説明】
【０００１】
【発明の属する技術分野】
本発明は、防雪フードに関し、特に、雪国において室外機を屋外に設置する際に、室外機の吸込み口へ雪が入るのを防止するための防雪フードに関するものである。
【０００２】
【従来の技術】
寒冷地域など雪の吹付けが激しい屋外に空調機等の室外機を設置する際には、室外機の吸込み口へ雪が入るのを防止するために防雪フードが取付けられる。そこで、そのような従来の防雪フードの第１の例として、実開昭６１−１２７３６５号公報に記載された防雪フードについて説明する。
【０００３】
図１７に示すように、室外機１の側面に設けられた吸込み口１Ａを覆うように側面防雪フード１０２が取付けられている。また、室外機１の後面に設けられた吸込み口（図示せず）を覆うように後面防雪フード１０６が取付けられている。
【０００４】
次に、第２の例としての防雪フードについて説明する。寒冷地では積雪を考慮して、室外機は一般に比較的高い位置に設置される。たとえば図１８に示すように、室外機１は高置台１０９上に設置される。そして、室外機１の側面側の吸込み口（図示せず）を覆うように側面波板１１０が高置き台１０９に取付けられている。また、同様に室外機の後面側の吸込み口１Ａを覆うように後面波板１１１が高置き台１０９に取付けられている。
【０００５】
このように、室外機１の空気の吸込み口を覆うように側面および後面防雪フード１０２、１０６を取付けることで、あるいは、側面波板１１０または後面波板１１１を取付けることで、雪が室外機１に入るのを阻止して室外機１の運転効率が低下するのを防止する。
【０００６】
【発明が解決しようとする課題】
しかしながら、上述した従来の防雪フードでは、以下に示すような問題があった。まず第１の例においては、図１７に示すように、側面防雪フード１０２および後面防雪フード１０６における各部分の寸法Ａ〜Ｆは、室外機１の寸法に合わせる必要がある。このため、大きさの異なる室外機ごとに側面防雪フード１０２と後面防雪フード１０６を準備する必要があり、その管理が大変であった。
【０００７】
また、側面防雪フード１０２および後面防雪フード１０６は板状部材を組合わせることで構成されている。このため、板状部材の数と、各板状部材を取りつけるねじの本数も多くなり、生産コストも高く、また、現地における防雪フードの組立にも時間を要した。
【０００８】
また、一般家庭における使用では、室外機は壁に比較的接近して設置されるため、後面からの雪の侵入はある程度防ぐことができ、防雪フードとしては側面防雪フードだけで十分である。
【０００９】
ところが、各防雪フード１０２、１０６は室外機１の周囲を取囲むように設けられた取付枠１０７を介して室外機１に取りつけるため、特に、側面防雪フード１０２のみを取付けた状態では取付枠１０７が動くことがあり側面防雪フード１０２をしっかりと固定することが困難であった。
【００１０】
次に第２の例としての防雪フードでは、図１８に示すように、側面波板１１０および後面波板１１１と室外機１との隙間の上方が覆われていない。このため、この部分から吹込む雪を阻止するための屋根などを新たに設ける必要があった。
【００１１】
また、室外機の寸法に応じた寸法の側面波板および後面波板を準備する必要があった。さらに、側面波板１１０および後面波板１１１と室外機１との隙間に規制がなく、その隙間が狭い場合には、室外機のファンの音が大きくなったり、過負荷時において室外機に十分な空気を吸込むことができなくてオーバロードするおそれがあった。
【００１２】
本発明は上記問題点を解決するためになされたものであり、その目的は上述した従来の防雪フードの種々の問題を解決する防雪フードを提供することである。
【００１３】
【課題を解決するための手段】
請求項１に記載の防雪フードは、エアコンの室外機を載置する高置き台に取付けられる防雪フードであって、フード本体と支持部材と高さ調節手段とを備えている。支持部材は、高置き台の４本の足のうち所定の足に接続され、フード本体を支持する。高さ調節手段により、フード本体が室外機の吸込み口を覆うように、フード本体が支持部材に対して高さ調節可能に取付けられる。高さ調節手段を調節することにより、フード本体の下部には、吸込み口に空気を吸込ませるための開口部が形成される。
【００１４】
請求項１に記載された防雪フードによれば、高さ調節手段により、室外機の吸込み口の位置（高さ）にフード本体の位置を容易に合わせることができるので、従来の防雪フードのように、室外機の大きさに合わせた防雪フードを準備する必要がない。これにより、防雪フードの標準化を図ることができて防雪フードの管理が容易になるとともに、コストの削減を図ることができる。また、その高さ調整手段を調整することにより、フード本体の下部に、吸込み口に空気を吸込ませるための開口部が形成されることで、その開口部によって吸込み口に十分な空気を吸込ませることができ、室外機がオーバーロードするのを防止することができる。
【００２４】
請求項２に記載された防雪フードでは、フード本体は、室外機に接近させて上方からの吹き込みを防止する庇部を上端に有する。
請求項２に記載の防雪フードによれば、庇部により上方から雪が吹込んでくるのを阻止することができる。
【００２５】
請求項３に記載された防雪フードでは、庇部は室外機の外側下向きに傾斜している。
【００２６】
請求項３に記載の防雪フードによれば、庇部に積もろうとする雪を落下させることができる。
【００２７】
請求項４に記載された防雪フードでは、フード本体の垂れ下がり部分は、室外機の外側下向きに傾斜している。
【００２８】
請求項４に記載の防雪フードによれば、フード本体に積もろうとする雪を容易に落下させることができるとともに、フード本体の下部に十分な開口部を得ることができる。
【００２９】
請求項５に記載の防雪フードは、室外機に固定され、フード本体を室外機の上方を覆うように支持する支持部材を備えている。位置調節手段は、フード本体と支持部材との取付位置を調節する手段を含んでいる。
【００３０】
請求項５に記載された防雪フードによれば、位置調節手段により、支持部材の位置を室外機の大きさに合わせてフード本体に固定し、そして支持部材を室外機に固定することができる。また、室外機に対して、フード本体の位置を変えることができて、たとえばフード本体が他のフード本体と緩衝するのを避けることができる。
【００３１】
請求項６に記載の防雪フードでは、支持部材は、室外機の端部を受入れる受入れ凹部を含んでいる。
【００３２】
請求項６に記載された防雪フードによれば、支持部材の位置を室外機の大きさに位置合わせをする際に、受入れ部に室外機の端部を受入れることでその位置合わせを容易に行なうことができる。
【００３５】
請求項７に記載の防雪フードでは、置き台は上下２段であり、フード本体は下段側の室外機に対して取付けられている。
【００３６】
請求項７に記載された防雪フードによれば、下段の室外機に対しても、室外機の吸込み口の位置に合わせてフード本体を取付けることができる。
【００３９】
【発明の実施の形態】
実施の形態１
本発明の実施の形態１に係る防雪フードとその防雪フードを備えた室外機について説明する。
【００４０】
図１に示すように、雪国などでは室外機１が雪に埋もれないように、室外機１は比較的高い高置き台９に載置される。室外機１の側面側の吸込み口１Ａと対向する位置に側面防雪フード２が取付けられている。側面防雪フード２は側面フード本体２Ａと側面フード支柱４とを有して構成されている。
【００４１】
高置き台９の室外機１の側面側に対応するそれぞれの足９ａに、側面フード本体２Ａを支持するための側面フード支柱４が固定されている。その側面フード支柱４に、側面フード本体２Ａが室外機１の側面側の吸込み口１Ａを覆うように取付けられている。側面フード本体２Ａの下部には、吸込み口１Ａに空気を吸込ませるための開口部３が形成される。
【００４２】
図２に示すように、側面フード支柱４には、室外機１の側面側吸込み口の位置（高さ）に合わせて側面フード本体２Ａの位置を変えることができるように長穴４ａが設けられている。側面フード本体２Ａの上部には、たとえば図３（ａ）（ｂ）に示すように、庇部５が設けられている。また、側面フード本体２Ａには、側面フード本体２Ａを側面フード支柱４に取りつけるためのネジ穴２２Ａが設けられている。なお、この明細書では、室外機１の吹出し口１Ｂ側を前面としている。
【００４３】
次に、上述した防雪フードの取付けについて説明する。
図４に示すように、高置き台９に載置される室外機の側面側の吸込み口の位置に合わせて、側面フード支柱４に設けられた長穴４ａの適当な位置にボルトを通して側面フード支柱４を高置き台の足９ａにそれぞれ固定する。
【００４４】
次に、側面フード本体２Ａのネジ穴２２Ａにネジを通して側面フード支柱４に側面フード本体２Ａを固定する。これにより、図１に示すように、室外機１の側面側の吸込み口１Ａを覆う側面防雪フード２の取付が完了する。
【００４５】
上述した側面防雪フード２によれば、側面フード支柱４に設けられた長穴４ａに挿通するボルトの位置を変えることで、室外機１の側面側の吸込み口１Ａの位置に合わせて側面フード本体２Ａを容易に固定することができる。
【００４６】
これにより、従来の防雪フードのように、室外機の大きさに合わせたものを準備しておく必要がない。そして、防雪フードの標準化を図ることができ防雪フードの管理が容易になるとともに、コストを大幅に削減することができる。
【００４７】
また、室外機１の側面側の吸込み口１Ａの位置に合わせて側面防雪フード２を設置することで、吸込み口１Ａに雪が入るのを確実に阻止することができる。特に、図７に示すように、側面フード本体２Ａの上部に庇部５を設け、この部分を室外機の側面に接触させるかその近傍にまで配置させることで、雪を落下させて雪が側面フード本体２Ａの内側に回り込んでくるのを阻止することができる。
【００４８】
また、一般家庭における使用では、室外機の後面側が家の壁に接近して設置される場合が多い。この場合には、家の壁が室外機の後面側の吸込み口の防雪フードの役目を果たして、図１に示すような側面防雪フード２のみでも室外機１の後面側の吸込み口に雪が入るのを十分に阻止することができる。
【００４９】
なお、側面フード本体としては、図３に示す側面フード本体２Ａの他に、たとえば図５（ａ）（ｂ）に示すように、側面フード本体の垂れ下がり部分に空気を取入れるためのスリット状の開口部３を設けた側面フード本体２Ｂを適用してもよい。特に、この側面フード本体２Ｂでは、室外機が過負荷運転をしているときに、室外機に十分な空気を吸込むことができてオーバロードするおそれがなくなる。
【００５０】
また、図６（ａ）（ｂ）に示すように、側面フード本体の垂れ下がり部分を傾斜させた側面フード本体２Ｃも適用することができる。特に、製造コストおよび実用性の観点からは図３（ａ）（ｂ）に示す側面フード本体２Ａが好ましい。
【００５１】
また、この実施の形態では、側面フード本体２Ａの高さを調節するために側面フード支柱に長穴４ａを設けた場合について説明したが、この他に、側面フード支柱に複数のネジ穴を設けることでも室外機の吸込み口の位置に合わせて側面フード本体２Ａをフード支柱４に容易に固定することができる。
【００５２】
実施の形態２
本発明の実施の形態２に係る防雪フードとその防雪フードを備えた室外機について説明する。
【００５３】
図８に示すように、本実施の形態に係る防雪フードにおいては、側面防雪フード２に加えて、室外機１の後面側の吸込み口（図示せず）を覆うための後面防雪フード６が高置き台９に取付けられている。後面防雪フード６は後面フード本体６Ａと後面フード支柱８とを有して構成されている。高置き台９の室外機１の後面側の足９ｂに、後面フードを支持するための後面フード支柱８が固定されている。後面フード本体６Ａは、室外機１の後面側吸込み口（図示せず）を覆うように一端側が後面フード支柱８に固定され、他端側が側面フード支柱４に固定されている。
【００５４】
たとえば図９に示すように、後面フード支柱８にも側面フード支柱４と同様に長穴８ａが設けられている。後面フード本体６Ａには、たとえば図１０に示すように、後面フード本体６Ａを後面フード支柱８に取りつけるためのネジ穴６６が設けられている。
【００５５】
なお、室外機の側面側を覆う防雪フード２については実施の形態１において説明した防雪フードと同様なので、同一部材には同一符号を付し、その説明を省略する。
【００５６】
次に、上述した後面防雪フード６の取付けについて説明する。
図１１に示すように、実施の形態１において説明したように、載置する室外機の後面側の吸込み口の位置（高さ）に合わせて、後面フード支柱８に設けられた長穴８ａの適当な位置にボルトを通して後面フード支柱８を高置き台の足９ｂに固定する。
【００５７】
次に、後面フード本体６Ａのネジ穴６６にネジを通して後面フード支柱８に後面フード本体６Ａの一端を固定する。同様に、他端を側面フード支柱４に固定する。これにより、図８に示すように、室外機１の後面側の吸込み口を覆う後面防雪フード６の取付が完了する。
【００５８】
上述した後面防雪フード６によれば、側面防雪フード２の場合と同様に、後面フード支柱８に設けられた長穴８ａに挿通するボルトの位置を変えることで、室外機１の後面側の吸込み口の位置に合わせて後面フード本体６Ａを容易に固定することができる。これにより、従来の防雪フードのように、室外機の大きさに合わせたものを準備しておく必要がない。そして、防雪フードの標準化を図ることができ防雪フードの管理が容易になるとともに、コストを大幅に削減することができる。
【００５９】
また、室外機の後面側の吸込み口の位置に合わせて後面防雪フード６を設置することで、吸込み口に雪が入るのを確実に阻止することができる。さらに、後面フード本体６Ａにも傾斜部を設けることで、雪を落下させて雪がフード本体６Ａの内側に回り込んでくるのを阻止することができる。
【００６０】
特に、集合住宅等の屋上に室外機を設置する場合には、住宅の壁に接近させて設置する場合と異なり、室外機の後面側の吸込み口への雪の吹込みも防止する必要がある。このとき、側面防雪フードに加えて上述した後面防雪フードを取付けることで、室外機の各吸込み口に雪が入り込むのを効果的に阻止して、安定した室外機の動作を確保することができる。
【００６１】
なお、後面フード本体としては、上述した後面フード本体の他に、たとえば図５（ａ）（ｂ）に示す形態と同様の空気を取入れるためのスリット状の開口部３を設けた後面フード本体や、図６（ａ）（ｂ）に示す形態と同様の傾斜した後面フード本体も適用することができる。
【００６２】
また、この実施の形態では、後面フード本体６Ａの高さを調節するために後面フード支柱８に長穴８ａを設けた場合について説明したが、この他に、後面フード支柱に複数のネジ穴を設けることでも室外機の後面側の吸込み口の位置に合わせて後面フード本体６Ａを後面フード支柱８に容易に固定することができる。
【００６３】
実施の形態３
本発明の実施の形態３に係る防雪フードとその防雪フードを備えた室外機について説明する。図１２に示すように、室外機１の上方を覆うように屋根防雪フード１０が取付けられている。屋根防雪フード１０は、室外機１の上方を覆う屋根フード本体１０Ａと、その屋根フード本体１０Ａを室外機１に支持固定するための屋根フード支柱１４とを有して構成される。
【００６４】
また、図１３に示すように、屋根フード本体１０Ａの裏側には屋根フード支柱１４を取付けるための１対のスライドナット１２が設けられている。なお、屋根フード本体１０Ａを取付けた状態で室外機１の吹出し側に屋根フード本体１０Ａが傾くように、屋根フード支柱１４には傾斜が設けられている。
【００６５】
次に上述した屋根防雪フードの取付について説明する。
図１４に示すように、屋根フード本体１０Ａのスライドナット１２の部分に、屋根フード支柱１４を仮止めする。次に、このスライドナット１２をスライドさせて、対向する屋根フード支柱１４の間隔Ｗを室外機の寸法（幅）に合わせる。間隔Ｗを室外機１の幅に合わせた後に、図１５に示すように、屋根フード支柱１４を室外機１の筐体の端部にそれぞれネジなどにより固定する。これにより、図１２に示すように、室外機１の上方を覆う屋根防雪フードの取付が完了する。
【００６６】
この屋根防雪フードによれば、屋根フード本体１０Ａに設けられた１対のスライドナット１２をスライドさせることで、室外機１の寸法に合わせて屋根フード本体を室外機の上方に容易に取付けることができる。
【００６７】
また、屋根フード支柱１４に凹部１４ａを形成することで、屋根フード支柱１４の位置を室外機の大きさに位置合わせをする際に、その凹部１４ａに室外機の筐体端部を受入れることでその位置合わせを容易に行なうことができる。
【００６８】
また、特に実施の形態１において説明した側面防雪フード２と併用して本屋根防雪フードを取付ける場合には、図１５に示すように屋根フード支柱１４を室外に固定した状態で、スライドナット１２を緩めて屋根フード本体１０Ａを矢印に示すようにずらすことで、屋根フード本体１０Ａの一方側の端部が側面フード本体２と緩衝しないように屋根フード本体１０Ａを取付けることができる。
【００６９】
そして、この屋根防雪フードにより、室外機１の上に降り積もろうとする雪を屋根フード本体１０Ａで受けてこれを落下させることで、溶けた雪が再び固まって室外機の吸込み口や吹出し口の部分に氷のカーテンができるのを防止することができる。これにより、十分な空気の流れが得られて室外機のオーバロードを防止することができる。
【００７０】
また、上述した各実施の形態では、室外機は高置き台９に単体で設置される場合について説明したが、たとえば図１６に示すように、上下２段構造になった高置き台１５に、室外機がそれぞれの段に設置される場合がある。
【００７１】
このような場合でも、上段に設置される室外機についてはもちろんのこと、下段に設置される室外機についても実施の形態１において説明した側面防雪フードや実施の形態２において説明した後面防雪フードを適用することができて、室外機の吸込み口に雪が吹込んでくるのを阻止することができる。
【００７２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００７３】
【発明の効果】
請求項１に記載された防雪フードによれば、高さ調節手段により、室外機の吸込み口の位置（高さ）にフード本体の位置を容易に合わせることができるので、従来の防雪フードのように、室外機の大きさに合わせた防雪フードを準備する必要がない。これにより、防雪フードの標準化を図ることができて防雪フードの管理が容易になるとともに、コストの削減を図ることができる。また、その高さ調整手段を調整することにより、フード本体の下部に、吸込み口に空気を吸込ませるための開口部が形成されることで、その開口部によって吸込み口に十分な空気を吸込ませることができ、室外機がオーバーロードするのを防止することができる。
【００７９】
請求項２に記載された防雪フードによれば、庇部により上方から雪が吹込んでくるのを阻止することができる。
【００８０】
請求項３に記載された防雪フードによれば、庇部に積もろうとする雪を落下させることができる。
【００８１】
請求項４に記載された防雪フードによれば、フード本体に積もろうとする雪を容易に落下させることができるとともに、フード本体の下部に十分な開口部を得ることができる。
【００８２】
請求項５に記載の防雪フードによれば、位置調節手段により、支持部材の位置を室外機の大きさに合わせてフード本体に固定し、そして支持部材を室外機に固定することができる。また、室外機に対して、フード本体の位置を変えることができて、たとえばフード本体が他のフード本体と緩衝するのを避けることができる。
【００８３】
請求項６に記載の防雪フードによれば、支持部材の位置を室外機の大きさに位置合わせをする際に、受入れ部に室外機の端部を受入れることでその位置合わせを容易に行なうことができる。
【００８５】
請求項７に記載の防雪フードによれば、下段の室外機に対しても、室外機の吸込み口の位置に合わせてフード本体を取付けることができる。
【図面の簡単な説明】
【図１】  本発明の実施の形態１に係る側面防雪フードを備えた室外機の斜視図である。
【図２】  同実施の形態において、側面フード支柱を示す斜視図である。
【図３】  同実施の形態において、側面フード本体の一例を示す図であり、（ａ）はその斜視図であり、（ｂ）はその断面図である。
【図４】  同実施の形態において、側面防雪フードの分解斜視図である。
【図５】  同実施の形態において、側面フード本体の他の例を示す図であり、（ａ）はその斜視図であり、（ｂ）はその断面図である。
【図６】  同実施の形態において、側面フード本体のさらに他の例を示す図であり、（ａ）はその斜視図であり、（ｂ）はその断面図である。
【図７】  同実施の形態において、側面フード本体の取付け状態の一例を示す図である。
【図８】  本発明の実施の形態２に係る後面防雪フードを備えた室外機の斜視図である。
【図９】  同実施の形態において、後面フード支柱を示す斜視図である。
【図１０】  同実施の形態において、後面フード本体を示す斜視図である。
【図１１】  同実施の形態において、後面防雪フードの分解斜視図である。
【図１２】  本発明の実施の形態３に係る屋根防雪フードを備えた室外機の斜視図である。
【図１３】  同実施の形態において、屋根フード本体を示す斜視図である。
【図１４】  同実施の形態において、屋根フード本体および屋根フード支柱の一断面図である。
【図１５】  同実施の形態において、屋根フード本体および屋根フード支柱を室外機に取付けた状態を示す一側面図である。
【図１６】  実施の形態１、２の変形例に係る２段置き台の場合の側面防雪フードを備えた室外機の斜視図である。
【図１７】  従来の防雪フードの第１の例を示す斜視図である。
【図１８】  従来の防雪フードの第２の例を示す斜視図である。
【符号の説明】
１  室外機、１Ａ  吸込み口、１Ｂ  吹出し口、２  側面防雪フード、２Ａ〜２Ｃ  側面フード本体、３  開口部、４  側面フード支柱、４ａ  長穴、５  庇部、６  後面防雪フード、６Ａ  後面フード本体、６６  ネジ穴、８  後面フード支柱、８ａ  長穴、９，１５  高置き台、１０  屋根防雪フード、１０Ａ  屋根フード本体、１２  スライドナット、１４  屋根フード支柱。
【図１】
0004667560.tif 000002
【図２】
0004667560.tif 000003
【図３】
0004667560.tif 000004
【図４】
0004667560.tif 000005
【図５】
0004667560.tif 000006
【図６】
0004667560.tif 000007
【図７】
0004667560.tif 000008
【図８】
0004667560.tif 000009
【図９】
0004667560.tif 000010
【図１０】
0004667560.tif 000011
【図１１】
0004667560.tif 000012
【図１２】
0004667560.tif 000013
【図１３】
0004667560.tif 000014
【図１４】
0004667560.tif 000015
【図１５】
0004667560.tif 000016
【図１６】
0004667560.tif 000017
【図１７】
0004667560.tif 000018
【図１８】
0004667560.tif 000019